(57)【要約】【課題】床スラブに様々な形状の開口部を形成できる低コストな構成を提供する。【解決手段】外皮材保持部材１０は、水平方向で縦横に複数並べて連結することで、周囲に屈曲スリーブ材を巻いた状態で保持することが可能な連結体を構成することができる。この外皮材保持部材１０は、４つの側板１２〜１５と、矩形状の底板１１と、を備える。底板１１は、側板１２〜１５に対してほぼ直角をなすように配置される。４つの側板１２〜１５のそれぞれは、隣接する側板に対して直角に接続するように構成される。側板１２〜１５のそれぞれには、ネジ棒を差込可能な差込み溝１６が形成されている。【選択図】図１
2010285812.tif 000002
【特許請求の範囲】
【請求項１】
水平方向で縦横に複数並べて連結することで、周囲に外皮材を巻いた状態で保持することが可能な連結体を構成可能な外皮材保持部材であって、
４つの側板と、
前記側板に対してほぼ直角をなすように配置された矩形状のベース板と、
を備え、
４つの前記側板のそれぞれは、隣接する側板に対して直角に接続するように構成され、
前記側板のそれぞれには、棒状部材を差込可能な差込み溝が形成されていることを特徴とする外皮材保持部材。
【請求項２】
請求項１に記載の外皮材保持部材であって、
それぞれの前記差込み溝は、前記棒状部材を保持することが可能な凹部を２つ有しており、
同一の差込み溝において、２つの凹部は互いに高さを異ならせて配置されていることを特徴とする外皮材保持部材。
【請求項３】
請求項２に記載の外皮材保持部材であって、
前記差込み溝は、上端を開放させる中央溝と、この中央溝から一側に分岐して水平又は斜め方向に延びる第１凹部と、前記中央溝から他側に曲がって水平又は斜め方向に延びる第２凹部と、を有することを特徴とする外皮材保持部材。
【請求項４】
請求項１から３までの何れか一項に記載の外皮材保持部材であって、
前記差込み溝は非対称な形状とされており、
前記ベース板には、外皮材保持部材の向きを示す方向表示部が形成されていることを特徴とする外皮材保持部材。
【請求項５】
請求項４に記載の外皮材保持部材であって、
前記方向表示部は、顔の表示であることを特徴とする外皮材保持部材。
【請求項６】
請求項１から５までの何れか一項に記載の外皮材保持部材であって、
複数の外皮材保持部材を垂直方向に連結可能に構成されていることを特徴とする外皮材保持部材。
【請求項７】
請求項６に記載の外皮材保持部材であって、
前記差込み溝は、前記棒状部材を保持する保持凹部を有しており、
複数の外皮材保持部材を垂直方向に連結した場合に、一方の外皮材保持部材が他方の外皮材保持部材における前記差込み溝の開放端を閉鎖するとともに、少なくとも前記保持凹部は閉鎖しないように構成されていることを特徴とする外皮材保持部材。
【請求項８】
請求項１から７までの何れか一項に記載の外皮材保持部材を水平方向で縦横に連結して構成された連結体の周囲に巻かれる外皮材であって、
波状に成形された第１シートと、
前記第１シートの一側の面にのみ接合された平坦な第２シートと、
を備え、
前記第２シートを外側に向けた状態で、前記連結体の周囲に巻かれることを特徴とする外皮材。
【発明の詳細な説明】
【技術分野】
【０００１】
本発明は、コンクリート構造物（例えば、コンクリートスラブ等）に配管等を貫通させるための開口部を形成する技術に関する。
【背景技術】
【０００２】
建築工事においては、従来から、波状鋼板（デッキプレート）上にコンクリートを打設して合成スラブを形成することが広く行われている。そして、配管等を貫通するための開口部をコンクリートスラブに形成するために、種々の開口部形成具が用いられている。
【０００３】
この種の形成具は、例えば特許文献１に開示されている。この特許文献１の開口部形成具は、基板に垂設する支持片に、上下に進退可能なスライド棒を複数設けたくし状体を取り付けた形成具本体を矩形状に配置し、隣り合う形成具本体が相互に着脱自在に構成されている。
【０００４】
また、特許文献２は、床に床貫通角形開口を設けるための床貫通口形成用型枠を開示する。この型枠は、周囲の４つの面を形成する側板を備えており、その周囲にプラスチック段ボールが両面テープ等により貼設された構成となっている。
【０００５】
また、特許文献３は、床スラブに用いるものではないが、コンクリート地中梁や間仕切り壁を貫通して配管用孔を形成するための型抜きスリーブを開示する。この型抜きスリーブにおいては、片波板を筒状に成形したスリーブ筒が用いられる。この片波板は、平板の片面に、一定ピッチを持った連続する台形状の断面を成形した波板を貼り合わせた構成とされている。スリーブ筒の内部には、片波板の波部のピッチを刃先のピッチとした数個の円板又は角板が配置される。
【先行技術文献】
【特許文献】
【０００６】
【特許文献１】実登第３０２９０５５号公報
【特許文献２】特開２００５−１３９６５２号公報
【特許文献３】実開昭６１−２０１４３９号公報
【発明の概要】
【発明が解決しようとする課題】
【０００７】
しかし、上記特許文献１の開口部形成具は、多数の部品を使用した複雑な構成であり、製造コストの低減の観点で改善の余地があった。また、特許文献１〜３の何れも、形成したい開口部の形状を柔軟に変更することが難しく、汎用性が十分とはいえなかった。
【０００８】
本発明は以上の事情に鑑みてされたものであり、その目的は、床スラブに様々な形状の開口部を形成できる低コストな構成を提供することにある。
【課題を解決するための手段及び効果】
【０００９】
本発明の解決しようとする課題は以上の如くであり、次にこの課題を解決するための手段とその効果を説明する。
【００１０】
本発明の第１の観点によれば、以下の構成の外皮材保持部材が提供される。即ち、この外皮材保持部材は、水平方向で縦横に複数並べて連結することで、周囲に外皮材を巻いた状態で保持することが可能な連結体を構成することができる。この外皮材保持部材は、４つの側板と、矩形状のベース板と、を備える。前記ベース板は、前記側板に対してほぼ直角をなすように配置される。４つの前記側板のそれぞれは、隣接する側板に対して直角に接続するように構成されている。前記側板のそれぞれには、棒状部材を差込可能な差込み溝が形成されている。
【００１１】
これにより、外皮材保持部材の縦横連結のバリエーションにより、様々な形状の開口部を柔軟に形成することができる。また、差込み溝と棒状部材を用いた簡素な連結構造であるので、コストを低減できる。
【００１２】
前記の外皮材保持部材においては、以下の構成とすることが好ましい。即ち、それぞれの前記差込み溝は、前記棒状部材を保持することが可能な凹部を２つ有している。同一の差込み溝において、２つの凹部は互いに高さを異ならせて配置されている。
【００１３】
これにより、外皮材保持部材を縦方向に連結するための棒状部材と、横方向に連結するための棒状部材と、を異なる高さに配置できる。従って、棒状部材同士の交差部分で干渉が発生することを防止できる。
【００１４】
前記の外皮材保持部材においては、前記差込み溝は、上端を開放させる中央溝と、この中央溝から一側に分岐して水平又は斜め方向に延びる第１凹部と、前記中央溝から他側に曲がって水平又は斜め方向に延びる第２凹部と、を有することが好ましい。
【００１５】
これにより、差込み溝の形状を複雑化させることなく、棒状部材同士の干渉防止のための構成を実現できる。
【００１６】
前記の外皮材保持部材においては、以下の構成とすることが好ましい。即ち、前記差込み溝は非対称な形状とされている。前記ベース板には、外皮材保持部材の向きを示す方向表示部が形成されている。
【００１７】
これにより、上からベース板を見ることで、外皮材保持部材の向きが揃っているか否か（即ち、隣接する外皮材保持部材において、差込み溝が互いに対応する位置にあるか）の確認が容易である。
【００１８】
前記の外皮材保持部材においては、前記方向表示部は顔の表示であることが好ましい。
【００１９】
これにより、外皮材保持部材の向きを一目りょう然に知ることができるので、作業性が良好である。
【００２０】
前記の外皮材保持部材は、他の外皮材保持部材に対して垂直方向に連結可能に構成されていることが好ましい。
【００２１】
これにより、対象となるコンクリート構造物の厚みが大きい場合でも、深い開口部を適切に形成することができる。
【００２２】
前記の外皮材保持部材においては、以下の構成とすることが好ましい。即ち、前記差込み溝は、前記棒状部材を保持する保持凹部を有している。複数の外皮材保持部材を垂直方向に連結した場合に、一方の外皮材保持部材が他方の外皮材保持部材における前記差込み溝の開放端を閉鎖するとともに、少なくとも前記保持凹部は閉鎖しないように構成されている。
【００２３】
これにより、外皮材保持部材を垂直方向に連結したときに、下側の外皮材保持部材同士を連結している棒状部材と、上側の外皮材保持部材と、が干渉することを防止できる。
【００２４】
本発明の第２の観点によれば、前記の外皮材保持部材を水平方向で縦横に連結して構成された連結体の周囲に巻かれる、以下の構成の外皮材が提供される。即ち、この外皮材は、波状に成形された第１シートと、平坦な第２シートと、を備える。前記第２シートは、前記第１シートの一側の面にのみ接合される。そして、前記外皮材は、前記第２シートを外側に向けた状態で、前記連結体の周囲に巻かれる。
【００２５】
これにより、良好な機械的強度を有し、かつ屈曲が容易な外皮材を実現できる。従って、コンクリート打設時の圧力に良く耐えることができると同時に、連結体の輪郭に良好に沿わせて配置することができる。また、平坦な第２シートが外側に向けられるので、開口部の形成後に、当該開口部の内壁から外皮材を容易に剥離することができる。
【図面の簡単な説明】
【００２６】
【図１】本発明の一実施形態に係る外皮材保持部材の全体的な構成を示す斜視図。
【図２】外皮材保持部材の平面図。
【図３】外皮材保持部材を水平方向で縦横に連結する作業を示す組立斜視図。
【図４】外皮材保持部材を水平方向で縦横に並べた様子を示す平面図。
【図５】外皮材保持部材の連結体をデッキプレート上に設置する作業を示す斜視図。
【図６】外皮材保持部材の連結体の周囲に外皮材を巻き付けた様子を示す斜視図。
【図７】外皮材保持部材を垂直方向に連結した様子を示す斜視図。
【発明を実施するための形態】
【００２７】
次に、図面を参照して本発明の実施の形態を説明する。図１は、本発明の一実施形態に係る外皮材保持部材１０の全体的な構成を示す斜視図である。図２は、外皮材保持部材１０の平面図である。図３は、外皮材保持部材１０を縦横に連結する作業を示す組立斜視図である。図４は、外皮材保持部材１０を水平方向で縦横に並べた様子を示す平面図である。
【００２８】
図１等に示す外皮材保持部材１０は、床型枠材としてのデッキプレート（波状鋼板）の上側にコンクリートを打設して床スラブ（コンクリートスラブ）を形成するにあたって、当該床スラブに例えば矩形状の開口部を形成するために用いられる。この外皮材保持部材１０は、合成樹脂を用いて、上方を開放した箱状（立方体状）に形成されている。
【００２９】
外皮材保持部材１０は、矩形（正方形）の底板（ベース板）１１と、この底板１１の４辺からそれぞれ立ち上げられる４つの側板１２，１３，１４，１５と、を備えている。隣り合う側板同士は、互いに垂直に接続している。また、それぞれの側板１２〜１５は、底板１１に対して垂直に接続している。
【００３０】
それぞれの側板１２〜１５の下部には、段差部２０が形成されている。この段差部２０より下側の部分には連結部２１が形成されており、この連結部２１の輪郭は、外皮材保持部材１０の上縁（開放部）の内側の輪郭よりも若干小さくなっている。従って、外皮材保持部材１０の連結部２１を他の外皮材保持部材１０の開放部に上側から差し込むことで、複数の外皮材保持部材１０を上下方向に連結することができる。
【００３１】
それぞれの側板１２〜１５には、差込み溝１６が形成されている。この差込み溝１６は、その上端を開放させるようにして、側板１２〜１５の上部に形成されている。図１に示すように、互いに対面する側板（側板１２と側板１４、側板１３と側板１５）においては、差込み溝１６は互いに位置及び形状を対応させるように構成されている。
【００３２】
以下、差込み溝１６について説明する。なお、それぞれの側板１２〜１５の差込み溝１６は、互いに形状が同一であるか左右の向きを逆にしたのみであるので、以後の説明では、側板１２に形成された差込み溝１６について代表して説明する。
【００３３】
差込み溝１６は、側板１２の中央部に上下方向に形成される垂直溝（中央溝）１８と、垂直溝１８の下端部に接続する第１水平溝（第１凹部、保持凹部）１９ａと、垂直溝１８の中途部に接続する第２水平溝（第２凹部、保持凹部）１９ｂと、により構成されている。
【００３４】
垂直溝１８は、その上端を側板１２の上縁部で開放させるとともに、直線的に下方に延びるように形成されている。第１水平溝１９ａ及び第２水平溝１９ｂは、垂直溝１８から水平方向に延びるように形成されている。
【００３５】
なお、第１水平溝１９ａと第２水平溝１９ｂが延びる向きは、互いに反対となっている（言い換えれば、垂直溝１８を挟んで第１水平溝１９ａと反対側に第２水平溝１９ｂが配置されている）。また、第１水平溝１９ａと第２水平溝１９ｂは、その高さが互いに異なるように配置されている。従って、差込み溝１６の形状は左右で非対称となっている。
【００３６】
平面図である図２に示すように、底板１１には複数の取付孔２２が貫通状に形成されている。この取付孔２２は円弧状又は直線状の長孔として形成されており、人間が笑った顔の図案を全体として表現するように適宜の位置に配置されている。このように、本実施形態では、複数の取付孔２２により、外皮材保持部材１０の向きを（顔の向きで）示す方向表示部２３が構成されている。
【００３７】
次に、外皮材保持部材１０を縦横に複数連結する作業について説明する。最初に、平坦な作業台等の上で、床スラブに形成したい開口部の形状及び大きさに対応して、同一形状の外皮材保持部材１０を縦横に並べる。図３では横３個×縦２個の外皮材保持部材１０を矩形状に並べた例が示されているが、並べ方は任意であり、例えばＴ字状に並べたり、十字状に並べたりすることができる。
【００３８】
なお、本実施形態において、外皮材保持部材１０の寸法は平面視で１００ｍｍ×１００ｍｍとされている。このように外皮材保持部材１０がキリの良い寸法で構成されているので、形成したい開口部の寸法に応じて何個の外皮材保持部材１０を並べれば良いかが容易に計算でき、便利である。
【００３９】
なお、複数の外皮材保持部材１０は、何れも同一の向きで並べるようにする。これにより、隣接する外皮材保持部材１０同士で第１水平溝１９ａ及び第２水平溝１９ｂの位置が一致するので、後述するネジ棒３１を第１水平溝１９ａ又は第２水平溝１９ｂへ（複数の外皮材保持部材１０に跨るように）挿入することができる。
【００４０】
なお、外皮材保持部材１０の向きが揃っているか否かは、並べた状態で上から見たときに、図４のように顔（方向表示部２３）の向きが一致しているか否かで容易に確認することができる。また、外皮材保持部材１０を並べるときは、それぞれの側板１２〜１５に形成されている差込み溝１６同士が隣接する外皮材保持部材１０同士で一致するように、外皮材保持部材１０の位置を揃えるようにする。
【００４１】
次に、適宜の長さのネジ棒３１を図３に示すように用意し、このネジ棒３１に、ナット３２及びワッシャー３３を２つずつ又は４つずつ取り付ける。なお、ネジ棒３１は所謂「寸切り」と呼ばれる長ボルトであって、建設現場では汎用的に用いられて容易に入手が可能なものであり、所望の長さに切断して用いることができる。
【００４２】
そして、ネジ棒３１を、側板１２〜１５に形成されている差込み溝１６に水平な向きのまま差し込み、当該ネジ棒３１を第１水平溝１９ａ又は第２水平溝１９ｂ内で保持させる。このとき、対で配置されたワッシャー３３の間に、外皮材保持部材１０において互いに隣接している側板（側板１３と側板１５、又は側板１２と側板１４）が入るようにする。
【００４３】
そして、ワッシャー３３の外側に配置されているナット３２を回転させることで、互いに隣接している側板（側板１３と側板１５、又は側板１２と側板１４）を締め付ける。これにより、複数の外皮材保持部材１０を、ネジ棒３１の方向に連結することができる。
【００４４】
なお、図３ではネジ棒３１を縦横１本ずつしか示していないが、図５に示すように、ネジ棒３１は実際には縦横２本ずつ取り付けられる。これにより、計６つの外皮材保持部材１０を水平方向で縦横に連結した外皮材保持部材連結体３５が構成される。
【００４５】
なお、外皮材保持部材１０を縦に連結するネジ棒３１は差込み溝１６の第１水平溝１９ａに、横に連結するネジ棒３１は差込み溝１６の第２水平溝１９ｂに、それぞれ配置される。このように、高さを異ならせて形成された２つの水平溝１９ａ，１９ｂに縦横のネジ棒３１を振り分けて配置することで、ネジ棒３１同士が交差箇所で互いに干渉することを防止できる。
【００４６】
次に、上記のようにして組み立てた外皮材保持部材連結体３５を図５のようにデッキプレート５０上に配置し、ドリルネジ４１を用いて固定する。このドリルネジ４１は、底板１１に形成された前記取付孔２２に差し込まれた後、デッキプレート５０に固定される。
【００４７】
なお、デッキプレート５０は細長い凸部と凹部を有する波状に形成されているが、凸部と凹部の境界に跨る貫通孔を形成したい場合は、図５に示すように、平坦状に形成された凸部の上面に接する外皮材保持部材１０だけをドリルネジ４１で固定するようにすれば良い。凹部上の外皮材保持部材１０は浮いた状態となるが、複数の外皮材保持部材１０がネジ棒３１によって連結されているので、その位置を保持することができる。
【００４８】
次に、図６に示すように、屈曲スリーブ材（外皮材）４６を外皮材保持部材連結体３５の周囲に巻き付ける。この屈曲スリーブ材４６は図６に示すように、波形の第１シート４７の一側の面にのみ平坦な第２シート４８を固定（接合）した構成となっており、良好な機械的強度を有している。第１シート４７と第２シート４８との間には、細長い空洞が多数並べて形成される。
【００４９】
屈曲スリーブ材４６はポリプロピレン等の合成樹脂で成形されており、鋏やカッタナイフ等を用いることで所望の形状に切断することができる。従って、デッキプレート５０の凹凸に対応して屈曲スリーブ材４６の下縁部の輪郭を形成することも容易である。
【００５０】
また、両シート４７，４８は合成樹脂により可撓性を適宜持たせて構成されており、第１シート４７と第２シート４８とが接合されている部分については良好に屈曲することができる。また、第１シート４７と第２シート４８とは多数の箇所で接合されているので、上記の細長い空洞が垂直に向くように屈曲スリーブ材４６を配置することで、外皮材保持部材連結体３５の角部に良好に追従させるように曲げることができる。
【００５１】
最後に、屈曲スリーブ材４６の継ぎ目４２の部分に粘着テープ４３を貼って端部同士を連結し、この状態でデッキプレート５０上に生コンクリートを打設する。なお、屈曲スリーブ材４６は上述したように容易に切断できるので、その下端をデッキプレート５０の凹凸形状に隙間なく沿わせ、これによりコンクリートの漏れを防止することができる。
【００５２】
コンクリートの固化後、外皮材保持部材連結体３５、屈曲スリーブ材４６、ネジ棒３１等を取り外すことで、コンクリート部分に開口部を形成することができる。なお、屈曲スリーブ材４６は、平坦な第２シート４８が外側を向くように配置されているので、コンクリートとの境界に凹凸が生じない。従って、開口部の内面から屈曲スリーブ材４６を容易に剥離して取り除くことができる。
【００５３】
なお、取り外した外皮材保持部材連結体３５（外皮材保持部材１０）、ネジ棒３１、屈曲スリーブ材４６等は、原則として繰り返して利用可能である。従って、経済的であるとともに、環境負荷の低減を実現できる。
【００５４】
なお、対象の床スラブの厚みが大きい場合は、図７に示すように、外皮材保持部材１０を上下方向に連結した複数段の外皮材保持部材連結体３５ｘとすることができる。この場合、より広い面積で屈曲スリーブ材４６を保持できるので、良好な形状精度の開口部をコンクリートに形成することができる。
【００５５】
なお、外皮材保持部材１０の下部に形成された連結部２１（図１）の上下方向の寸法は、当該連結部２１を他の外皮材保持部材１０の開放部に上側から挿入したときに、垂直溝１８の上部（差込み溝１６の開放端）は閉鎖するものの、第１水平溝１９ａ及び第２水平溝１９ｂは閉鎖しないように適宜設定されている。これにより、ネジ棒３１で縦横に連結した外皮材保持部材１０の上側に、他の外皮材保持部材１０を連結する場合において、既に設置されている前記ネジ棒３１が邪魔になることがない。
【００５６】
以上に説明したように、本実施形態の外皮材保持部材１０は、水平方向で縦横に複数並べて連結することで、周囲に屈曲スリーブ材４６を巻いた状態で保持することが可能な連結体（外皮材保持部材連結体３５）を構成することができる。そして、外皮材保持部材１０は、４つの側板１２〜１５と、矩形状の底板１１と、を備える。底板１１は、側板１２〜１５に対してほぼ直角をなすように配置される。４つの側板１２〜１５のそれぞれは、隣接する側板に対し直角に接続するように構成されている。側板１２〜１５のそれぞれには、ネジ棒３１を差込可能な差込み溝１６が形成されている。
【００５７】
これにより、外皮材保持部材１０の縦横連結のバリエーションにより、様々な形状の開口部を柔軟に形成することができる。また、差込み溝１６とネジ棒３１を用いた簡素な連結構造であるので、コストを低減できる。
【００５８】
また、本実施形態の外皮材保持部材１０において、それぞれの差込み溝１６は、ネジ棒３１を保持することが可能な第１水平溝１９ａと第２水平溝１９ｂを有している。同一の差込み溝１６において、第１水平溝１９ａ及び第２水平溝１９ｂは互いに高さを異ならせて配置されている。
【００５９】
これにより、外皮材保持部材１０を縦方向に連結するためのネジ棒３１と、横方向に連結するためのネジ棒３１と、を異なる高さに配置できる。従って、ネジ棒３１同士の交差部分で干渉が発生することを防止できる。
【００６０】
また、本実施形態の外皮材保持部材１０において、差込み溝１６は、上端を開放させる垂直溝１８と、この垂直溝１８から一側に分岐して水平方向に延びる第１水平溝１９ａと、垂直溝１８から他側に曲がって水平方向に延びる第２水平溝１９ｂと、を有する。
【００６１】
これにより、差込み溝１６の形状を複雑化させることなく、ネジ棒３１同士の干渉防止のための構成を実現できる。
【００６２】
また、本実施形態の外皮材保持部材１０において、差込み溝１６は非対称な形状とされており、底板１１には、外皮材保持部材１０の向きを示す方向表示部２３が形成されている。
【００６３】
これにより、上から底板１１を見ることで、外皮材保持部材１０の向きが揃っているか否か（即ち、隣接する外皮材保持部材１０において、差込み溝１６が互いに対応する位置にあるか）の確認が容易である。
【００６４】
また、本実施形態の外皮材保持部材１０において、方向表示部２３は顔の表示とされている。
【００６５】
これにより、外皮材保持部材１０の向きを一目りょう然に知ることができるので、作業性が良好である。
【００６６】
また、本実施形態の外皮材保持部材１０は、他の外皮材保持部材１０に対して垂直方向に連結可能に構成されている。
【００６７】
これにより、床スラブの厚みが大きい場合でも、深い開口部を適切に形成することができる。
【００６８】
また、本実施形態の外皮材保持部材１０において、差込み溝１６は、ネジ棒３１を保持する第１水平溝１９ａ及び第２水平溝１９ｂを有している。そして、複数の外皮材保持部材１０を上下方向に連結した場合に、一方の外皮材保持部材１０の連結部２１が他方の外皮材保持部材１０における差込み溝１６の開放端を閉鎖するとともに、少なくとも第１水平溝１９ａ及び第２水平溝１９ｂは閉鎖しないように構成されている。
【００６９】
これにより、外皮材保持部材１０を垂直方向に連結したときに、下側の外皮材保持部材１０同士を連結しているネジ棒３１と、上側の外皮材保持部材１０の連結部２１が干渉することを防止できる。
【００７０】
また、本実施形態の外皮材保持部材１０を連結して構成した外皮材保持部材連結体３５の周囲に巻かれる屈曲スリーブ材４６は、波状に成形された第１シート４７と、平坦な第２シート４８と、を備える。第２シート４８は、第１シート４７の一側の面にのみ接合される。そして、屈曲スリーブ材４６は、第２シート４８を外側に向けた状態で、外皮材保持部材連結体３５の周囲に巻かれる。
【００７１】
これにより、良好な機械的強度を有し、かつ屈曲が容易な屈曲スリーブ材４６を実現できる。従って、コンクリート打設時の圧力に良く耐えることができると同時に、外皮材保持部材連結体３５の輪郭に良好に沿わせて配置することができる。また、平坦な第２シート４８が外側に向けられるので、開口部の形成後に、当該開口部の内壁から屈曲スリーブ材４６を容易に剥離することができる。
【００７２】
以上に本発明の好適な実施の形態を説明したが、上記の構成は例えば以下のように変更することができる。
【００７３】
差込み溝１６は、図１のように形成することに代えて、例えば「Ｌ」字状（第２水平溝１９ｂを省略した形状）やフォーク形状に変更することができる。また、「Ｆ」を上下逆にした形状、「Ｙ」を上下逆にした形状、「Ｔ」を上下逆にした形状等に変更することができる。
【００７４】
垂直溝１８を垂直方向に形成することに代えて、斜めに形成することもできる。
【００７５】
方向表示部２３は、図２のように人間の顔の形状とすることに代えて、例えば犬猫等の動物の顔、矢印等に変更することができる。また、取付孔２２によって方向表示部２３を形成することに代えて、例えば底板１１に凸部を形成し、これによって方向表示部とすることもできる。
【００７６】
ワッシャー３３を省略し、ナット３２で側板１２〜１５を直接締め付ける構成に変更することができる。
【００７７】
複数の外皮材保持部材１０は、必ずしもネジ棒３１のような棒状部材によって連結されなくても良い。例えば、外皮材保持部材１０を連結する個数が２×２のように小さい場合は、外皮材保持部材１０を並べた周囲に粘着テープを巻くことで連結体を構成しても良い。
【符号の説明】
【００７８】
１０  外皮材保持部材
１１  ベース板
１２〜１５  側板
１６  差込み溝
１８  垂直溝（中央溝）
１９ａ  第１水平溝（第１凹部、保持凹部）
１９ｂ  第２水平溝（第２凹部、保持凹部）
２２  取付孔
２３  方向表示部
３１  ネジ棒（棒状部材）
３５  外皮材保持部材連結体
４６  屈曲スリーブ材（外皮材）
４７  第１シート
４８  第２シート
【図１】
2010285812.tif 000003
【図２】
2010285812.tif 000004
【図３】
2010285812.tif 000005
【図４】
2010285812.tif 000006
【図５】
2010285812.tif 000007
【図６】
2010285812.tif 000008
【図７】
2010285812.tif 000009
【手続補正書】
【提出日】平成21年8月21日(2009.8.21)
【手続補正１】
【補正対象書類名】明細書
【補正対象項目名】００１０
【補正方法】変更
【補正の内容】
【００１０】
本発明の第１の観点によれば、以下の構成の外皮材保持部材が提供される。即ち、この外皮材保持部材は、水平方向で縦横に複数並べて連結することで、コンクリート構造物に開口部を形成するための外皮材を周囲に巻いた状態で保持することが可能な連結体を構成することができる。この外皮材保持部材は、４つの側板と、矩形状のベース板と、を備える。前記ベース板は、前記側板に対してほぼ直角をなすように配置される。４つの前記側板のそれぞれは、隣接する側板に対して直角に接続するように構成されている。前記側板のそれぞれには、棒状部材を差込可能な差込み溝が形成されている。
【手続補正２】
【補正対象書類名】特許請求の範囲
【補正対象項目名】請求項１
【補正方法】変更
【補正の内容】
【請求項１】
水平方向で縦横に複数並べて連結することで、コンクリート構造物に開口部を形成するための外皮材を周囲に巻いた状態で保持することが可能な連結体を構成可能な外皮材保持部材であって、
４つの側板と、
前記側板に対してほぼ直角をなすように配置された矩形状のベース板と、
を備え、
４つの前記側板のそれぞれは、隣接する側板に対して直角に接続するように構成され、
前記側板のそれぞれには、棒状部材を差込可能な差込み溝が形成されていることを特徴とする外皮材保持部材。